(57)【要約】【課題】電気制御を必要とせず安価に製作可能な害獣を追払う動物威嚇追払い装置を提供すること。【解決手段】動物威嚇追払い装置１００は、案内軌道１と、それぞれの一端部を案内軌道１の先部に揺動可能に係着された棒部材３と、棒部材３を展開状態或いは縮小状態に変形させるリンク機構部８と、リンク機構部８と、案内軌道１を摺動してリンク機構部８を動作させる摺動体１２と、摺動体１２を弾発力が貯められた状態で案内軌道１の後端に係止する係止機構部１８とを備えている。【選択図】  図１
0003194041.tif 000002
【実用新案登録請求の範囲】
【請求項１】
水平状に配置された案内軌道と、
前記案内軌道を中心に一端を放射状に展開するように、前記案内軌道の先端周囲に他端が支点として配置された複数の棒部材と、
前記案内軌道を摺動し、弾発力を貯めた状態で係止機構部により前記案内軌道の後端に係止される摺動体と、
前記係止機構部による係止が解除されたときに前記案内軌道を摺動する前記摺動体の移動により、前記複数の棒部材の他端を放射状に展開するリンク機構部と、
前記係止機構部の係止を解除するために、前記係止機構部から吊り下げられた吊り紐と、前記吊り紐の下端に吊下られた金属容器と、
前記金属容器の真上に配設された収納部と、
前記収納部の下端開口を開閉させる開閉要部を有し該開閉要部が常に閉側へ付勢される状態となる揺動体と、
動物の侵入による引き変位に応答して前記開閉要部を開側へ変移させる引張紐と、
前記開閉要部が閉側に位置した状態で前記収納部内に収納され、前記開閉要部が開側へ変移されたとき前記金属容器内に自然落下される落下体と、
を備えたことを特徴とする動物威嚇追払い装置。
【請求項２】
前記案内軌道に前後移動自在に案内され、前記案内軌道上で前記摺動体の摺動により前方へ押し移動される移動体と、
前記移動体に固定され、案内軌道の先端よりも前方へ張り出した着火手段と、
前記案内軌道の先端に固定されたホルダとを有し、
爆竹を前記ホルダに保持し、前記着火手段の移動により、前記爆竹を着火させることを特徴とする請求項１記載の動物威嚇追払い装置。
【請求項３】
爆竹を前記落下体に収容し、前記落下体が前記収納部から自然落下することにより前記爆竹を着火させることを特徴とする請求項１記載の動物威嚇追払い装置。
【考案の詳細な説明】
【技術分野】
【０００１】
本考案は、猪等の害獣を追払う動物威嚇追払い装置に関する。
【背景技術】
【０００２】
近年、自然環境の変化などにより猪などの野生動物による農園内での農作物の被害が多発し、大きな問題となっている。
これに対処するため、農園に侵入しようとする野生動物をその聴覚、視覚又は触覚などにより威嚇し追い払うようにした装置が種々、提案されている（例えば、特許文献１、２など）。
【先行技術文献】
【特許文献】
【０００３】
【特許文献１】特開２０１４−９４００２号公報
【特許文献２】特開２００５−１７６８１１号公報
【考案の概要】
【考案が解決しようとする課題】
【０００４】
本考案は、電気制御を必要とせず安価に製作可能な害獣を追払う動物威嚇追払い装置を提供することを目的としている。
【課題を解決するための手段】
【０００５】
上記課題を解決するため、本考案に係る動物威嚇追払い装置は、水平状に配置された案内軌道と、前記案内軌道を中心に一端を放射状に展開するように、前記案内軌道の先端周囲に他端が支点として配置された複数の棒部材と、前記案内軌道を摺動し、弾発力を貯めた状態で係止機構部により前記案内軌道の後端に係止される摺動体と、前記係止機構部による係止が解除されたときに前記案内軌道を摺動する前記摺動体の移動により、前記複数の棒部材の他端を放射状に展開するリンク機構部と、前記係止機構部の係止を解除するために、前記係止機構部から吊り下げられた吊り紐と、前記吊り紐の下端に吊下られた金属容器と、前記金属容器の真上に配設された収納部と、前記収納部の下端開口を開閉させる開閉要部を有し該開閉要部が常に閉側へ付勢される状態となる揺動体と、動物の侵入による引き変位に応答して前記開閉要部を開側へ変移させる引張紐と、前記開閉要部が閉側に位置した状態で前記収納部内に収納され、前記開閉要部が開側へ変移されたとき前記金属容器内に自然落下される落下体と、を備えたことを特徴とする。
【考案の効果】
【０００６】
本考案によれば、大きな音響と共に棒部材が突然に傘を広げたように展開するため、猪などの動物は、自分より体の大きいものが突然現れたと錯覚してひるみ、これを追い払うことができる。また、本考案によれば、また電気制御を必要とせず安価に製作できる。
【図面の簡単な説明】
【０００７】
【図１】動物威嚇追払い装置の展開状態を示す側面視説明図である。
【図２】展開状態の動物威嚇追払い装置の要部を示す斜視図である。
【図３】爆竹を収納する状況を示す斜視説明図である。
【図４】動物威嚇追払い装置を農園に設置した状態を示す斜視図である。
【図５】使用状態を説明する図である。
【図６】他の実施例を示す図である。
【図７】他の実施例の作用を示す図である。
【考案を実施するための形態】
【０００８】
以下、実施例に係る動物威嚇追払い装置１００について、図面を参照して説明する。
動動物威嚇追払い装置１００は、展開部１０１、爆音部１０２及びトリガー部１０３からなっており、それぞれについて順に説明する。
【０００９】
<展開部１０１>
展開部１０１は、傘状の棒部材３を案内軌道１に沿って瞬間的に展開させる部位である。案内軌道１は１ｍ程度の金属製円筒棒である。案内軌道１の外周面の周方向には、複数（図示例では８本）の棒部材３が案内軌道１を中心とした放射状配列となるように位置されている。各棒部材３の一端３ｂは、案内軌道１の先部周囲を支点として取り付けられており、各棒部材３はイ方向に揺動することが可能である。また、棒部材３の他端３ｃにおいては、金属リング４を介して鈴５を揺動自在に係着されている。
【００１０】
案内軌道1と複数の棒部材３との間には、それぞれの棒部材３を、一斉に、イ方向に放射状に変移させるリンク機構部８が形成されている。リンク機構部８は、第１リンク部材９、先頭筒１０、第２リンク部材１１、及び、摺動体１２を備えている。第１リンク部材９の一端部は棒部材３の途中位置３ｄに軸部材を介して枢着されている。
【００１１】
先端筒１０は案内軌道１に摺動自在に外嵌され、先頭筒１０の外周には、案内軌道１を中心とした円の接線方向の軸９ａが設けられており、第１リンク部材９の他端部が軸９ａ回りに揺動可能に枢着されている。第２リンク部材１１の一端部は軸１１ａにより第１リンク部材９の長さ途中に枢着されている。摺動体１２は案内軌道１に摺動自在に外嵌され、先頭筒１０よりも案内軌道１上で後側に位置している。第２リンク部材１１の他端部が、軸１１ｂにより摺動体１２に枢着されている。
【００１２】
先頭筒１０と摺動体１２との間は、案内軌道１に外嵌されたスプリング１５により接続されている。先頭筒１０と摺動体１２とを近づけてスプリング１５を圧縮すると、リンク機構部８の作用により、複数の棒部材３は案内軌道１回りに縮小状態に近づくように動作して、先頭筒１０と摺動体１２とは案内軌道１上にて後側へ摺動する。一方、スプリング１５に貯められた状態の弾発力を開放すると、先頭筒１０と摺動体１２との間が開き、先頭筒１０と摺動体１２が案内軌道１上にて前方へ摺動し、かつ、複数の棒部材３は案内軌道１回りから引き起こされて展開状態になる。
【００１３】
また隣接した棒部材３、３の結合部材３ｄ、３ｄ間のそれぞれは撓曲自在な第１紐部材１６（図２）で結合されている。これら第１紐部材１６は複数の棒部材３が展開状態を超えてさらに大きく拡がるのを規制するものである。そして、隣接した第１リンク部材９、９における第２リンク部材１１、１１との結合箇所間のそれぞれについても、撓曲自在な第２紐部材１７で結合されている。この第２紐部材１７は各第１リンク部材９が第２リンク部材１１から付与される力により横方へ屈曲変形するのを規制するように作用する。
【００１４】
摺動体１２が案内軌道１上で後側へ摺動変移されて、案内軌道１の後端に近接したとき、この縮小状態における摺動体１２の位置を保持させるための係止機構部１８が案内軌道１の後端側にある端部１ａに形成されている。
【００１５】
係止機構部１８は、案内軌道１内に装着された係止爪１９、及び、この係止爪１９を動作させるための操作部２０を有している。係止爪１９は案内軌道１の孔ｂ１内外への進退可能であり、常に孔ｂ１から上方へ突出する側へ図示しないバネにより付勢されている。
【００１６】
端部１ａの前側近傍に押し入力部２１を有している。この押し入力部２１は係止爪１９の下部に結合され、外力により押し入力部２１が下方へ変移されると係止爪１９の上部が案内軌道１内に没入するようになっている。
【００１７】
この係止機構部１８によれば、係止爪１９が弾力により摺動体１２に形成された係合孔ｂ２に嵌まり込んで係止され、このような状態において、押し入力部２１に外力が作用し、この入力部２１が押し下げられることにより、リンク機構部８の位置保持状態は解放される。
【００１８】
摺動体１２が案内軌道１上を後方へ変移されてその端部１ａに近接されると、リンク機構部８の構成により先頭筒１０から摺動体１２までの距離が小さくなり、スプリング１５は圧縮される。そして、係止機構部１８によるリンク機構部８の位置保持が解放されると、スプリング１５は自身の弾力で棒部材３を展開状態に変形させる。
【００１９】
支持部２は、取付部２２と四角柱の支持棒部２３とからなっている。取付部２２の頂上には、案内軌道１を水平姿勢に保持する金具２４が取り付けられ、端部１ａを固定している。支持棒部２３の下端は先鋭状となっており、地面に打ち込みやすくなっている。取付部２２は、地面に打ち込まれた支持棒部２３の側面にボルトなどで脱着可能に結合されている。
【００２０】
<爆音部１０２>
図２において、案内軌道１の前端部に爆音部１０２が配設されている。爆音部１０２は案内軌道１の前部に固定されたホルダ６及び、カバー体２７を具備している。カバー体２７は後端部をホルダ６の前端開口内に押し込むことにより内部の適当な防水性が確保し、カバー体２７の内側に爆竹２８が収納される。
【００２１】
図３において、爆竹２８は本例では例えば円錐状のパーティクラッカーが使用される。爆竹保持紐２９ａはホルダ６の内面に基端を止着され、先部には爆竹２８の外周面に外嵌される環状部ｃ１を形成されている。着火手段２９は案内軌道１に前後移動可能に装着された移動体３０に対して連結部３０ｂにより、案内軌道１の先部よりも前側に張り出すように固定されている。
【００２２】
移動体３０は、スプリング１５の圧縮が開放され、棒部材３が展開状態に遷移する際、先頭筒１０により前方（図面左側）へ押し移動されるようになっている。着火手段２９は、爆竹２８から延出された着火用紐２８ａを結び付けるように使用される。
【００２３】
爆竹２８をホルダ６内に収納するときは、まず係止機構部１８の係止機能により摺動体１２を保持させた状態で、カバー体２７をホルダ６から抜き外し、移動体３０を適当に移動させ、爆竹保持紐２９ａの環状部ｃ１に爆竹２８を挿し込み、着火用紐２８ａの先部を着火手段２９に結び付ける。そして、カバー体２７を被せる。
【００２４】
爆竹２８が収納された状態で、係止機構部１８による保持状態が解放されたときは、先頭筒１０が移動体３０をスプリング１５の弾力で前方へ勢いよく押し移動させる。これにより着火手段２９は把持部２９ｂによりカバー体２７を前方へ打撃し撥ね飛ばし、一方では爆竹２８からその着火用紐２８ａを引き抜いて、爆竹２８を着火させ激しい爆発音を発生させる。なお使用済みとなった爆竹２８を新しいものに交換し収納する場合は既述の収納に準じた処理を行う。
【００２５】
<トリガー部１０３>
図１において、トリガー部１０３は、害獣による引張力に作用する第１入力機構部３１と、この第１入力機構部３１の動作に関連して押し入力部２１を起動する第２入力機構部３２とを備えている。
【００２６】
第１入力機構部３１は支持棒部２３の長さ途中に前後向き支持板３３を有しており、前後向き支持板３３は前部に上向き突出部３３ａを有し、後部には下方に突出された軸支持部３３ｂを有している。上向き突出部３３ａには揺動体３４が装着されている。揺動体３４はクリップ３４ａ及びこれから延出された金属棒３４ｂを具備し、クリップ３４ａを上向突出部３３ａに横向き軸３５を介して前後揺動自在である。金属棒３４ｂは上端箇所を横方へ屈曲し、この上端箇所が開閉要部ｄ１として機能する。一方、軸支持部３３ｂには横向き軸３６が固定され、この横向き軸３６に滑車３７が回動自在に装着されている。
【００２７】
滑車３７には先端を外力の付与対象物に結合され引張紐３８が掛け回されるのであり、この引張紐３８は滑車３７により下方へ案内され下端に引張用錘３９を吊り下げた状態となっている。引張用錘３９は開閉可能な蓋を有した水容器とされており、水容器内の水量を変更することによりその重さが任意に変化可能である。クリップ３４ａは引張紐３８の水平箇所の任意位置を挟みつけることにより、引張紐３８の前後変移に従い、揺動体３４の横向き軸３５回りに揺動させる。
【００２８】
第２入力機構部３２は、上面が開放された状態の金属容器４１、この金属容器４１の真上に配置された収納部４２、及び、収納部４２内に挿入される落下体４３を備えている。金属容器４１は押し入力部２１の四角孔に挿通させたリング部材４４から吊り紐４５、４５を垂下させ、この吊り紐４５、４５の下端に吊下げられている。金属容器４１は底面には雨水などを排除するための水抜き孔が形成される。
【００２９】
収納部４２は取付部２２の上部側面から突出された支持部材４６に固定された筒体４２ａと、この筒体４２ａの上端開口を落ち葉片や雨水などの浸入しないように覆う蓋体４２ｂとを有している。筒体４２ａは内径が２ｃｍ、長さが７ｃｍであり、下端縁の後半部に切除部ｅ１を形成されている。切除部ｅ１は揺動体３４の一部である開閉要部ｄ１の移動経路を形成し、開閉要部ｄ１が切除部ｅ１の最前箇所に位置したとき筒体４２ａの下端開口は閉鎖状態となり、一方、筒体４２ａの下部から後方へ外れたとき完全な開放状態となる。蓋体４２ｂは紛失を防止するため鎖又は紐などで支持部材４６などに結合しておくのがよい。この収納部４２の下端と金属容器４１の底面までの距離は５０ｃｍ程度である。
【００３０】
落下体４３は開閉要部ｄ１の移動により筒体４２ａの下端開口が開放されたとき、自重により自然落下し、金属容器４１の底面に衝突したとき、金属の衝撃音が発せられると同時に、そのときの衝撃力で押し入力部２１が押し下げられ複数の棒部材３が一挙に開放状態となる。
【００３１】
<動物威嚇追払い装置１００の使用例>
次に、上記した動物威嚇追払い装置１００の使用例について説明する。図４は動物威嚇追払い装置１００を作動待機状態とした使用状態を示す斜視図である。
猪などの動物の侵入を阻止しようとする農園などの外周囲に杭４８を打ち込み、これにワイヤ又は紐などの外力付与対象物である線部材４７を張設する。この場合、線部材４７は幾分、横移動し得る状態とする。
そして、線部材４７の長さ方向上の例えば１０ｍ間隔で四角枠ｆ１の内側場所に動物威嚇追払い装置１００を設置する。棒部材３の展開状態が、支持棒部２３を地面に打ち込んで自立させ、取付部２２を固定する。動物威嚇追払い装置１００のそれぞれは前方向を線部材４７に直交させた状態に近づけるのが好ましく、棒部材３が外周囲に向けて展開状となるように水平状に案内軌道１は水平状とする。
【００３２】
この状態で棒部材３を縮小状態として、摺動体１２を係止機構部１８により位置保持させる。また引張紐３８は、杭４８、４８間の線部材４７に対して、針金３８ａで結び付けられている。この際、針金３８ａの結び付けは、害獣が線部材４７に接触したときに、必要以上に力が加わったときに解けるようにしておくのが良い。このようにすれば引張紐３８を経て動物威嚇追払い装置１００に過大な外力が作用する前に該前端部３８ａの接続が破壊されて動物威嚇追払い装置１００の大きな損壊を回避することができる。
【００３３】
滑車３７から垂下した引張紐３８に吊り下げられた引張用錘３９内の水量を調整して、引張紐３８の張力を調整する。平衡がとれた状態で、揺動体３４を揺動させて開閉要部ｄ１が筒体４２ａの下端開口を閉鎖した状態とし、この状態を維持させたままクリップ３４ａで引張紐３８を挟み付ける。これにより揺動体３４は引張用錘３９の重量で収納部４２の下端開口を閉鎖する側へ付勢された状態を維持し、開閉要部ｄ１は収納部４２の下端開口を閉鎖した状態に位置保持される。
【００３４】
次に、収納部４２の蓋体４２ｂを筒体４２ａから取り外し、落下体４３を筒体４２ａの上端開口から挿入する。挿入された落下体４３は筒体４２ａ内を落下し、その下面が開閉要部ｄ１で支持される。この挿入の後、蓋体４２ｂを元位置に戻し筒体４２ａの上端開口を閉鎖する。
【００３５】
このような状態において、害獣が線部材４７に当たると、引張紐３８が前側へ引張され、揺動体３４が筒体４２ａの下端開口を開放させる側へ揺動される。この揺動により開閉要部ｄ１が後方へ移動し筒体４２ａの下端開口を開放する。このとき、筒体４２ａ内の落下体４３が自重により落下し、この落下体４３が金属容器４１の底面に衝突したとき、金属の大きな打撃音が発せられ、これと同時に金属容器４１に下向きの衝撃力が作用して係止機構部１８の押し入力部２１を下方へ押し変移させるのである。これにより複数の棒部材３は一挙に図５Ａに示す状態から図５Ｂに示す展開状態となる。棒部材３が、大きな音響と共に棒部材が突然に傘を広げたように展開するため、猪などの動物は、自分より体の大きいものが突然現れたと錯覚してひるみ、これを追い払うことができる。このとき、各棒部材３は風切り音を発すると同時に弾性による振動により鈴５を振り鳴らす。
そして、棒部材３が展開状態になると、カバー体２７が移動体３０で打撃されて激しい打撃音を発し前方へ撃ち出されると共に、爆竹２８が着火されて激しい爆発音を発する。
【００３６】
上記実施例においては、爆音部１０２は案内軌道１の前端部に配設されていたが、この代わりに落下体４３の中に装填してもよい。図６は、そのような実施例を示しており、先の実施例の収納部４２を、爆音部１０４を収容する収納部５１に変更している。図１と同じ機能を奏する部材には同じ符号が付してある。揺動体３４は、水平板３４ｃと上側に延出された金属棒３４ｂとからなり、横向き軸３５を介して水平板３４ｃを前後揺動自在となっている。金属棒３４ｂの上端箇所は、開閉要部ｄ１として機能する。水平板３４ｃの両側には滑車３７ａ、３７ｂが回動自在に装着されている。
滑車３７ｂには先端を外力の付与対象物に結合され引張紐３８が掛け回されるのであり、この引張紐３８は滑車３７ｂにより下方へ案内され下端に引張用錘３９を吊り下げ、滑車３７ａに戻る。引張紐３８は、滑車３７ａを半周して水平板３４ｃに固定された状態となっている。引張用錘３９は開閉可能な蓋を有した水容器である。引張紐３８の前後変移に従い、揺動体３４の横向き軸３５回りに揺動させる。
【００３７】
収納部５１は、上面が開放された状態の金属容器４１の真上に配置されている。図７において、収納部５１は筒状であり、取付部２２に固定されている。収納部５１の上端開口を覆う蓋体５２を有している。爆音部１０４は有底の筒状の落下体５３と蓋部５９と有している。爆竹保持紐５８は、落下体５３の底面に一端を止着され、先部には爆竹２８の外周面に外嵌される環状部５７を形成している。着火手段５５は蓋部５９に固定されている。蓋体５２と蓋部５９とは、連結紐５４で接続されている。
【００３８】
爆竹５６を収納部５１内に収納するときは、収納部５１から落下体５３を抜き外し、爆竹保持紐５８の環状部５７に爆竹５６を挿し込み、着火用紐５６ａの先部を着火手段５５に結び付け、蓋部５９を被せる。開閉要部ｄ１が収納部５１の真下にある状態で、爆竹を差し込まれた落下体５３を収納部５１に上から挿入して、蓋体５２を被せる。
一方、害獣が線部材４７に当たり、引張紐３８が前側へ引張されると、開閉要部ｄ１が回動して、収納部５１から爆音部１０４が金属容器４１に落下する。爆音部１０４の自由落下により速度が増加した状態で、連結紐５４が延びきると、蓋部５９が落下体５３から脱落し、蓋部５９と一体状の着火手段５５により着火用紐５６ａが引き抜かれて爆竹５６が着火される。
【００３９】
この落下体５３が金属容器４１の底面に衝突したとき、金属の大きな打撃音が発せられ、これと同時に金属容器４１に下向きの衝撃力が作用して係止機構部１８の押し入力部２１を下方へ押し変移させ、複数の棒部材３を一挙に展開状態とする点は先の実施例と同じである。
【００４０】
本実施例によれば、着火した爆竹５６は、金属容器４内においては爆音を発することにより、音が増幅される。また、爆竹５６として、連発式の爆竹を用いることにより、金属容器４１の中で破爆し続け、爆発音を安定的に出し続けることができる。これは、先に示した実施例において連発式の爆竹を使用にするのに比べて、地面に落下した状態では無く、高い位置での爆発のために広い範囲まで音を鳴り響かせることが出来る。
【符号の説明】
【００４１】
１００  動物威嚇追払い装置
１  案内軌道
１ａ  端部
２  支持部
３  棒部材
５  鈴
６  ホルダ
８  リンク機構部
１５  スプリング
１８  係止機構部
２１  押し入力部
２６  カバー保持部材
２７  カバー体
２８  爆竹
２８ａ  着火用紐
２９  着火手段
３０  移動体
３４  揺動体
３８  入力部材（引張紐）
４１  金属容器
４２  収納部
４２ａ  筒体
４３  落下体
４５  吊り紐
【図１】
0003194041.tif 000003
【図２】
0003194041.tif 000004
【図３】
0003194041.tif 000005
【図４】
0003194041.tif 000006
【図５】
0003194041.tif 000007
【図６】
0003194041.tif 000008
【図７】
0003194041.tif 000009